(57)【要約】【課題】蓄電池の充電又は放電に用いられるインバータの電力損失を低減する、ことを目的とする。【解決手段】蓄電システム制御装置３０は、発電装置１４、負荷１６、及び商用系統１８に接続された送電線２０に接続され、インバータを介して蓄電池２４を充電又は放電させる。蓄電システム制御装置３０は、蓄電池２４への充電電力がインバータ２２の消費電力未満の場合、又は蓄電池２４からの放電電力がインバータ２２の消費電力以下の場合、インバータ２２と送電線２０との接続を遮断する。【選択図】図１
2015035913.tif 000002
【特許請求の範囲】
【請求項１】
発電装置、負荷、及び商用系統に接続された送電線に接続され、インバータを介して蓄電池を充電又は放電させる蓄電システムの制御装置であって、
前記蓄電池への充電電力が前記インバータの消費電力未満の場合、又は前記蓄電池からの放電電力が前記インバータの消費電力以下の場合、前記インバータと前記送電線との接続を遮断する蓄電システムの制御装置。
【請求項２】
前記蓄電池への充電電力が前記インバータの消費電力未満の場合、前記インバータを待機状態とし、前記インバータの待機電力を賄うために前記蓄電池からの放電を必要とする場合、前記インバータと前記送電線との接続を遮断する請求項１記載の蓄電システムの制御装置。
【請求項３】
前記蓄電システムの運転モードに応じて前記蓄電池の充電電力指令値又は放電電力指令値を生成し、
前記充電電力指令値が前記インバータの消費電力未満の場合、又は前放電電力指令値が前記インバータの消費電力以下の場合、前記インバータと前記送電線との接続を遮断する請求項１又は請求項２記載の蓄電システムの制御装置。
【請求項４】
発電装置、負荷、及び商用系統に接続された送電線に接続され、インバータを介して蓄電池を充電又は放電させる蓄電システムの制御方法であって、
前記蓄電池への充電電力が前記インバータの消費電力未満の場合、又は前記蓄電池からの放電電力が前記インバータの消費電力以下の場合、前記インバータと前記送電線との接続を遮断する蓄電システムの制御方法。
【発明の詳細な説明】
【技術分野】
【０００１】
本発明は、蓄電システムの制御装置及び蓄電システムの制御方法に関するものである。
【背景技術】
【０００２】
太陽光発電や風力発電など自然エネルギーを利用した発電装置では、天候等の影響を受けて発電出力が変動する。そこで、例えばリチウムイオン電池等の蓄電装置を用いて、自然エネルギーを利用した発電装置の発電出力に対する平滑化が行われる。
一方、直流電力と交流電力を変換する電力変換器を含む発電装置は、電力変換損失及び補機等の消費電力による電力損失が存在する。
【０００３】
そこで、特許文献１は，風力発電装置の補機損失を考慮した蓄電システムの制御手段を開示している。
具体的には、電力貯蔵装置を備える風力発電所の受電電力量を測定する手段が、風力発電所と電力系統との接続地点に備えられる。そして、風力発電所の電力系統からの受電電力量が所定値よりも大きい場合、風力発電所が発電状態又は風力発電所の出力電力が零となるように、制御器が電力貯蔵装置における蓄電装置の充放電電力指令を補正する。
【先行技術文献】
【特許文献】
【０００４】
【特許文献１】特開２０１１−１２５１７１号公報
【発明の概要】
【発明が解決しようとする課題】
【０００５】
しかしながら、特許文献１では風力発電所における損失を低減させる方法が記載されているものの、蓄電システムの損失を低減させる方法は記載されていない。蓄電システムにも風力発電所等の発電装置と同様に電力損失が存在する。具体的には、蓄電池の充電又は放電に用いるインバータの電力変換部による電力変換損失やインバータの補機による消費電力等の電力損失である。
【０００６】
本発明は、このような事情に鑑みてなされたものであって、蓄電池の充電又は放電に用いられるインバータの電力損失を低減できる、蓄電システムの制御装置及び蓄電システムの制御方法を提供することを目的とする。
【課題を解決するための手段】
【０００７】
上記課題を解決するために、本発明の蓄電システムの制御装置及び蓄電システムの制御方法は以下の手段を採用する。
【０００８】
本発明の第一態様に係る蓄電システムの制御装置は、発電装置、負荷、及び商用系統に接続された送電線に接続され、インバータを介して蓄電池を充電又は放電させる蓄電システムの制御装置であって、前記蓄電池への充電電力が前記インバータの消費電力未満の場合、又は前記蓄電池からの放電電力が前記インバータの消費電力以下の場合、前記インバータと前記送電線との接続を遮断する。
【０００９】
本構成によれば、蓄電システムは、発電装置、負荷、及び商用系統に接続された送電線に接続され、インバータを介して蓄電池を充電又は放電させる。インバータは、電力変換部と絶縁トランス等の補機とが直列に接続されている。
【００１０】
インバータは、蓄電池からの直流電力を交流電力へ変換し、送電線からの交流電力を直流電力へ変換するために、電力変換部において変換損失が生じる。また、インバータの補機でも電力が消費される。そして、インバータは、蓄電池の充電電力又は放電電力の増加に応じて消費電力も増加するが、蓄電池の充電電力又は放電電力が小さくてもある一定の消費電力を要する。このため、蓄電池からの放電電力がインバータによる消費電力以下の場合、蓄電池からの放電電力は、インバータでのみ消費され、負荷で消費されずに損失する。同様に、蓄電池への充電電力がインバータによる消費電力以下の場合、蓄電池への充電電力は、インバータでのみ消費され、蓄電池に充電されずに損失される。
【００１１】
そこで、本構成では、蓄電池への充電電力がインバータの消費電力未満の場合、インバータと送電線との接続が遮断される。また、蓄電池からの放電電力がインバータの消費電力以下の場合、インバータと送電線との接続が遮断される。
【００１２】
インバータと送電線との接続が遮断されることにより、蓄電池の充電又は放電が行われなくなるので、蓄電池の充電電力又は放電電力がインバータで消費されることがない。
【００１３】
従って、本構成は、蓄電池の充電又は放電に用いられるインバータの電力損失を低減できる。これにより、蓄電池からの放電電力も低減されるので、蓄電池の充電率の低下を抑制し、より長い時間負荷に対する放電が可能となる。
【００１４】
上記第一態様では、前記蓄電池への充電電力が前記インバータの消費電力未満の場合、前記インバータを待機状態とし、前記インバータの待機電力を賄うために前記蓄電池からの放電を必要とする場合、前記インバータと前記送電線との接続を遮断することが好ましい。
【００１５】
蓄電池への充電電力がインバータの消費電力未満の場合に、インバータと送電線との接続を遮断すると、本来であれば蓄電池へ充電される電力は商用系統へ供給されることとなる。しかしながら、商用系統の電力安定性の観点からは、商用系統へ電力が供給されることは好ましくない。
【００１６】
本構成によれば、蓄電池への充電電力がインバータの消費電力未満の場合、インバータを待機状態とする。これにより、本来であれば蓄電池へ充電される電力がインバータで消費されるので、商用系統への電力の供給が抑制され、かつインバータの運転状態が迅速に復帰可能となる。そして、充電電力がさらに減少し、インバータの待機電力を賄うために蓄電池から放電が行われると、蓄電池の充電率が減少する。このため、インバータの待機電力を賄うために蓄電池からの放電を必要とする場合、インバータと送電線との接続を遮断するので、蓄電池の充電率の減少を抑制できる。
【００１７】
上記第一態様では、前記蓄電システムの運転モードに応じて前記蓄電池の充電電力指令値又は放電電力指令値を生成し、前記充電電力指令値が前記インバータの消費電力未満の場合、又は前放電電力指令値が前記インバータの消費電力以下の場合、前記インバータと前記送電線との接続を遮断することが好ましい。
【００１８】
本構成によれば、インバータと送電線との接続遮断を、蓄電システムの運転モードに応じて適切に行える。
【００１９】
本発明の第二態様に係る蓄電システムの制御方法によれば、発電装置、負荷、及び商用系統に接続された送電線に接続され、インバータを介して蓄電池を充電又は放電させる蓄電システムの制御方法であって、前記蓄電池への充電電力が前記インバータの消費電力未満の場合、又は前記蓄電池からの放電電力が前記インバータの消費電力以下の場合、前記インバータと前記送電線との接続を遮断する。
【発明の効果】
【００２０】
本発明によれば、蓄電池の充電又は放電に用いられるインバータの電力損失を低減できる、という優れた効果を有する。
【図面の簡単な説明】
【００２１】
【図１】本発明の実施形態に係る電力系統の構成図である。
【図２】本発明の実施形態に係る蓄電システムにおける主な通信ラインを示した模式図である。
【図３】インバータを流れる電力と消費電力との関係を示すグラフである。
【図４】本発明の実施形態に係る蓄電システム制御装置の電気的構成を示す機能ブロック図である。
【図５】本発明の実施形態に係る余剰電力充電モードにおいて、余剰電力が少ない場合の電力の流れを示す模式図である。
【図６】本発明の実施形態に係る余剰電力充電モードにおいて、電磁開閉器を開いた場合の電力の流れを示す模式図である。
【図７】本発明の実施形態に係る不足電力放電モードにおいて、放電電力が少ない場合の電力の流れを示す模式図である。
【図８】本発明の実施形態に係る不足電力放電モードにおいて、電磁開閉器を開いた場合の電力の流れを示す模式図である。
【図９】本発明の実施形態に係るピークカットモードにおいて、放電電力が少ない場合の電力の流れを示す模式図である。
【図１０】本発明の実施形態に係るピークカットモードにおいて、電磁開閉器を開いた場合の電力の流れを示す模式図である。
【発明を実施するための形態】
【００２２】
以下に、本発明に係る蓄電システムの制御装置及び蓄電システムの制御方法の一実施形態について、図面を参照して説明する。
【００２３】
図１は、本実施形態に係る蓄電システム１０を含む電力系統１２の構成図である。
【００２４】
蓄電システム１０は、発電装置１４、負荷１６、及び商用系統１８に接続された送電線２０に接続され、インバータ２２を介して蓄電池２４を充電又は放電させる。なお、蓄電システム１０は、発電装置１４及び負荷１６に比べて商用系統１８側に接続されている。
【００２５】
発電装置１４及び負荷１６は、タウン（街）やビル等に設けられている。発電装置１４は、例えば、自然エネルギーを利用した発電装置（太陽電池装置や風力発電装置等）又は燃料電池等である。負荷１６は、例えば街灯やビルの空調及び電灯等、電力で動作する各種電気機器である。
【００２６】
電力系統１２には、負荷１６の消費電力と発電装置１４による発電電力との差である負荷不足電力が生じる場合がある。この場合、負荷不足電力を賄うために、蓄電池２４からの放電、商用系統１８からの電力供給（以下「買電電力」という。）が行われる。
【００２７】
蓄電池２４は、複数のセルが直列又は並列に接続され、発電装置１４の発電電力や商用系統１８からの買電電力を蓄電する。
【００２８】
インバータ２２は、インバータ電力変換部２６及びインバータ補機２８Ａが直列に接続されて構成される。具体的には、インバータ電力変換部２６が蓄電池２４に接続され、インバータ補機２８Ａが送電線２０に接続される。
インバータ電力変換部２６は、蓄電池２４からの直流電力を交流電力へ変換し、送電線２０からの交流電力を直流電力へ変換する。
インバータ補機２８Ａは、絶縁トランスを含む。絶縁トランスは、事故時の感電及びその波及拡大防止やノイズ対策のために用いられる。
【００２９】
また、蓄電システム１０は、インバータ補機２８Ｂ、蓄電システム制御装置３０、蓄電システム制御装置３０の補機（以下「制御装置補機」という。）３２、及び空調設備３４が送電線２０に接続される。
【００３０】
インバータ補機２８Ｂは、例えば、インバータ２２の制御電源やファン電源を含む。
【００３１】
蓄電システム制御装置３０は、蓄電池２４の状態の管理や、蓄電池２４の充電又は放電に係る指令のインバータ２２への出力、運転モードの切り替え等、蓄電システム１０の全体の制御を司る。蓄電池２４の運転状態は、例えば、蓄電池２４の充電率（State of Charge：ＳＯＣ）、蓄電池２４の温度、蓄電池２４が充電又は放電した回数等である。
なお、蓄電池２４の運転状態（以下「蓄電池運転状態」という。）は、蓄電システム制御装置３０から蓄電池２４の状態を要求する状態要求指令を蓄電池・制御監視システム４０（図２参照）へ送信することで、蓄電池・制御監視システム４０によって検知される。検知された蓄電池運転状態は、蓄電システム制御装置３０へ送信される。
【００３２】
制御装置補機３２は、例えば、蓄電システム制御装置３０の電源やファン電源である。
【００３３】
空調設備３４は、蓄電システム１０が設置されている部屋の温度や湿度等を制御する。
【００３４】
また、送電線２０とインバータ補機２８Ａとの間には、電磁開閉器３６が備えられる。電磁開閉器３６が開かれることによって、蓄電池２４の充電又は放電が行われなくなる。
【００３５】
インバータ補機２８Ａとインバータ２２との間には、電力検出部３８Ａが備えられる。
蓄電池２４が充電を行う場合、電力検出部３８Ａは、インバータ補機２８Ａで電力が消費された後の充電電力を検出することとなる。一方、蓄電池２４が放電を行う場合、電力検出部３８Ａは、インバータ電力変換部２６で電力が消費された後の放電電力を検出することとなる。
【００３６】
さらに、送電線２０と商用系統１８との接続点付近には、送電線２０を流れる電力（電流）を検出する電力検出部３８Ｂが備えられる。電力検出部３８Ｂは、商用系統１８から負荷１６等へ供給される電力（以下「買電電力」という。）、及び商用系統１８へ供給される電力を検出する。
【００３７】
図２は、蓄電システム１０における主な通信ラインを示した模式図である。
蓄電システム制御装置３０は、蓄電システム１０の運転モードに応じて、電力検出部３８Ｂの検出値を所定値とするように、インバータ２２へ運転指令（充電電力指令値又は放電電力指令値）を出力する。運転指令は、電力検出部３８Ｂの検出値及び蓄電池・制御監視システム４０で検知された蓄電池２４の運転状態（ＳＯＣ等）に基づいて、運転モードに応じて生成される。なお、インバータ２２からは、蓄電システム制御装置３０へインバータ２２の運転状態が出力される。
【００３８】
運転モードは、一例として、余剰電力充電モード、不足電力放電モード、及びピークカットモードがある。これらの運転モードは、一例として、予め設定された時間帯毎に切り替えられる。
【００３９】
余剰電力充電モードは、負荷１６で消費されなかった発電装置１４による発電電力である余剰電力を、蓄電池２４へ充電する。蓄電池２４に充電された余剰電力は、例えば電気料金の高くなる時間帯等に放電される。このため、蓄電システム制御装置３０は、電力検出部３８Ｂにおける電力（電流）が０（零）となるように、電力検出部３８Ａで検出される充電電力を制御する充電電力指令値を生成し、インバータ２２へ出力する。
【００４０】
不足電力放電モードは、発電装置１４による発電電力と負荷１６の消費電力との差である負荷不足電力を賄うための、買電電力を減少させるように蓄電池２４から放電する。このため、蓄電システム制御装置３０は、電力検出部３８Ｂにおける電力（電流）が０（零）となるように、電力検出部３８Ａで検出される放電電力を制御する放電電力指令値を生成し、インバータ２２へ出力する。
【００４１】
ピークカットモードは、商用系統１８からの買電電力が所定の設定値（契約電力）を超えないように蓄電池２４から放電する。このため、蓄電システム制御装置３０は、電力検出部３８Ｂで検出される電力（電流）が契約電力以下となるように、電力検出部３８Ａで検出される放電電力を制御する放電電力指令値を生成し、インバータ２２へ出力する。
【００４２】
図３は、インバータ２２を流れる電力と消費電力との関係を示すグラフである。
インバータ電力変換部２６は、直流電力と交流電力との変換において、変換損失が生じて電力が消費される。また、インバータ補機２８Ａでも電力が消費される。そして、インバータ２２は、蓄電池２４の充電電力又は放電電力の増加に応じて消費電力も増加するが、図３に示されるように蓄電池２４の充電電力又は放電電力が小さくてもある一定の消費電力を要する。
このため、蓄電池２４からの放電電力がインバータ２２による消費電力以下の場合、蓄電池２４からの放電電力は、インバータ２２でのみ消費され、負荷１６で消費されずに損失（電力損失）される。
また、蓄電池２４への充電電力がインバータ２２の消費電力以下の場合、蓄電池２４への充電電力は、インバータ２２でのみ消費され、蓄電池２４に充電されずに損失する。この場合、インバータ２２の消費電力を賄うためだけに、蓄電池２４から放電が行われる。
【００４３】
そこで、本実施形態に係る蓄電システム制御装置３０は、蓄電池２４への充電電力がインバータ補機２８Ａの消費電力未満の場合、電磁開閉器３６によってインバータ２２と送電線２０との接続を遮断する。また、蓄電システム制御装置３０は、蓄電池２４からの放電電力がインバータ２２の消費電力以下の場合、電磁開閉器３６によってインバータ２２と送電線２０との接続を遮断する。なお、以下の説明において、インバータ２２と送電線２０との接続を遮断させる処理を接続遮断処理という。
このように、接続遮断処理が行われることにより、蓄電池２４の充電又は放電が行われなくなるので、蓄電池２４の充電電力又は放電電力がインバータ２２で消費されることがない。
【００４４】
図４は、蓄電システム制御装置３０による接続遮断処理に係る電気的構成を示す機能ブロック図である。
蓄電システム制御装置３０は、消費電力算出部５０、判定部５２、及び指令値生成部５４を備える。
【００４５】
なお、蓄電システム制御装置３０、例えば、ＣＰＵ（Central  Processing  Unit）、ＲＡＭ（Random  Access  Memory）、及びコンピュータ読み取り可能な記録媒体等から構成されている。そして、消費電力算出部５０、判定部５２、及び指令値生成部５４における各種機能を実現するための一連の処理は、一例として、プログラムの形式で記録媒体等に記録されており、このプログラムをＣＰＵがＲＡＭ等に読み出して、情報の加工・演算処理を実行することにより、各種機能が実現される。
【００４６】
消費電力算出部５０は、インバータ電力変換部２６又はインバータ補機２８Ａの消費電力を、電力検出部３８Ａの検出値に基づいて算出する。具体的には、消費電力算出部５０は、図３に示されるようなインバータ電力変換部２６又はインバータ補機２８Ａに流れる電力と消費電力との関係（設計値）を予め記憶している。そして、消費電力算出部５０は、電力検出部３８Ａの検出値を設計値に当てはめることにより、消費電力を算出する。
【００４７】
判定部５２は、充電電力指令値又は放電電力指令値とインバータ２２の消費電力とから、インバータ補機２８Ａと送電線２０を遮断する必要性を判定する。
具体的には、判定部５２は、充電電力指令値又は放電電力指令値と消費電力算出部５０による消費電力の算出結果とを比較する。そして、判定部５２は、充電電力指令値又は放電電力指令値が算出結果以下の場合に、遮断の必要性があると判定する。
【００４８】
指令値生成部５４は、判定部５２によって遮断の必要性があると判定された場合、電磁開閉器３６を開くための開閉指令値を生成し、電磁開閉器３６へ出力する。また、指令値生成部５４は、開かれている電磁開閉器３６を閉じる場合、電磁開閉器３６を閉じるための開閉指令値を生成し、電磁開閉器３６へ出力する。
【００４９】
次に、接続遮断処理を蓄電システム１０の運転モード毎に説明する。
なお、上述したように、蓄電システム１０の運転モードに応じて蓄電池２４の充電電力指令値又は放電電力指令値が生成される。そして、接続遮断処理は、充電電力指令値がインバータ２２の消費電力未満の場合、又は放電電力指令値がインバータ２２の消費電力以下の場合、インバータ２２と送電線２０との接続を遮断する。
これにより、接続遮断処理は、インバータ２２と送電線２０との接続遮断を、蓄電システム１０の運転モードに応じて適切に行える。
【００５０】
次に、余剰電力充電モードにおける接続遮断処理について述べる。
【００５１】
上述したように、インバータ２２の電力損失が存在する。このため、余剰電力があった場合でも、インバータ２２で余剰電力が消費されて蓄電池２４への充電が行われない場合がある。さらに、余剰電力が少ない場合（電力検出部３８Ａによる検出値＜インバータ２２の消費電力）、図５に示されるように、インバータ２２に対して蓄電池２４から放電される可能性がある。
【００５２】
そこで、余剰電力充電モードにおける接続遮断処理は、充電電力指令値がインバータ２２（本実施形態ではインバータ電力変換部２６）の消費電力未満の場合、インバータ２２を待機状態とする。さらに、インバータ２２の待機電力を賄うために蓄電池２４からの放電を必要とする場合、接続遮断処理は、インバータ２２と送電線２０との接続を遮断するために、電磁開閉器３６を開とする開閉指令値を生成する。
【００５３】
蓄電池２４への充電電力がインバータ２２の消費電力未満の場合に、インバータ２２と送電線２０との接続を遮断すると、本来であれば蓄電池２４へ充電される電力は商用系統１８へ供給されることとなる。しかしながら、商用系統１８の電力安定性の観点からは、商用系統１８へ電力が供給されることは好ましくない。
【００５４】
余剰電力充電モードにおける接続遮断処理によれば、蓄電池２４への充電電力（余剰電力）がインバータ２２の消費電力未満の場合、インバータ２２を待機状態とする。これにより、本来であれば蓄電池２４へ充電される電力が待機状態のインバータ２２で消費されるので、商用系統１８への電力の供給が抑制され、かつインバータ２２の運転状態が迅速に復帰可能となる。なお、蓄電池２４への充電電力（余剰電力）がインバータ２２の消費電力と同じ場合は、待機状態としていないインバータ２２で充電電力を消費させることとなる。
充電電力がさらに減少し、インバータ２２の待機電力を賄うために蓄電池２４から放電が行われると、蓄電池２４の充電率が減少する。このため、インバータ２２の待機電力を賄うために蓄電池２４からの放電を必要とする場合（充電電力指令値が０未満の場合）、インバータ２２と送電線２０との接続を遮断する。これにより、蓄電池２４の充電率の減少が抑制される。
【００５５】
なお、インバータ２２と送電線２０との接続を遮断することによって、図６に示されるように、余剰電力は商用系統１８へ流れることとなる。
【００５６】
余剰電力充電モードにおける接続遮断処理は、インバータ２２と送電線２０との接続が遮断された状態で、蓄電池２４への充電電力がインバータ２２の消費電力を超える場合、インバータ２２と送電線２０とを再び接続するために、電磁開閉器３６を閉とする開閉指令値を生成する。
蓄電池２４への充電電力がインバータ２２の消費電力を超える場合とは、電力検出部３８Ｂの検出値が、インバータ２２の消費電力よりも大きくなる場合である。
これにより、インバータ２２と送電線２０との接続が遮断されても、余剰電力が大きくなると蓄電池２４への充電が行われることとなる。
【００５７】
なお、余剰電力充電モードにおける接続遮断処理の他の例として、充電電力指令値がインバータ２２（本実施形態ではインバータ電力変換部２６）の消費電力未満となる場合、インバータ２２を待機状態とする処理を行うことなく、インバータ２２と送電線２０との接続を遮断してもよい。また、インバータ２２と送電線２０との接続を遮断すると共に、蓄電池２４から放電することで、インバータ２２が待機状態とされてもよい。
【００５８】
次に、不足電力放電モードにおける接続遮断処理について述べる。
【００５９】
運転モードが時間帯毎に設定されている場合、不足電力放電モードにおいて余剰電力が発生しても、蓄電池２４は充電を行わない。このため、電力検出部３８Ａの検出値が０となるように制御が行われる。
この場合、図７に示されるように、インバータ２２による電力損失分の電力が蓄電池２４から賄われる。このため、蓄電池２４の充電率が減少し、必要なときに蓄電池２４が放電を行えない可能性がある。また、不足電力放電モードにおいて蓄電池２４からの放電電力が小さい場合、放電電力はビルやタウンの負荷１６ではなくインバータ２２の電力損失としてのみ消費される可能性がある。
【００６０】
そこで、不足電力放電モードにおける接続遮断処理は、放電電力指令値がインバータ２２（本実施形態ではインバータ補機２８Ａ）の消費電力以下の場合、図８に示されるようにインバータ２２と送電線２０とを接続するために、電磁開閉器３６を閉とする開閉指令値を生成する。なお、インバータ２２と送電線２０との接続を遮断すると共に、蓄電池２４から放電することで、インバータ２２が待機状態とされてもよい。
【００６１】
なお、不足電力放電モードにおいて、インバータ２２と送電線２０との接続が遮断されると、負荷不足電力に応じた買電電力が商用系統１８から供給される。
【００６２】
次に、ピークカットモードにおける接続遮断処理について述べる。
【００６３】
タウンやビル等内で消費される負荷不足電力が、商用系統１８を有する電力業者との契約電力未満となっている場合、ピークカットモードは充電を行わない。このため、ピークカットモードでも、不足電力放電モードと同様に、図９に示されるように、蓄電池２４からの放電電力がインバータ２２の電力損失としてのみ消費されたり、買電電力の一部がインバータ２２の電力損失としてのみ消費される可能性がある。
【００６４】
そこで、ピークカットモードにおける接続遮断処理は、放電電力指令値がインバータ２２（インバータ補機２８Ａ）の消費電力以下の場合、図１０に示されるように電磁開閉器３６を閉とする開閉指令値を生成する。なお、インバータ２２と送電線２０との接続を遮断すると共に、蓄電池２４から放電することで、インバータ２２が待機状態とされてもよい。
【００６５】
以上説明したように、本実施形態に係る蓄電システム制御装置３０は、蓄電池２４への充電電力がインバータ２２の消費電力未満の場合、又は蓄電池２４からの放電電力がインバータ２２の消費電力以下の場合、インバータ２２と送電線２０との接続を遮断する。
従って、蓄電システム制御装置３０は、蓄電池２４の充電又は放電に用いられるインバータ２２の電力損失を低減できる。これにより、蓄電池２４からの放電電力も低減されるので、蓄電池２４の充電率の低下を抑制し、より長い時間負荷に対する放電が可能となる。
【００６６】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【００６７】
例えば、上記実施形態では、運転モードを予め設定した時間帯毎に切り替える形態について説明したが、本発明は、これに限定されるものではない。運転モードは、時間帯毎に切り替えられるのでなく、例えば、蓄電池２４の充放電に関する制御目標値に基づいて自動的に切り替えられる形態（エネルギーマネジメントシステム）としてもよい。
【００６８】
また、上記実施形態では、蓄電池２４からの充電電力又は放電電力を検出する電力検出部３８Ａをインバータ電力変換部２６とインバータ補機２８Ａとの間に備える形態について説明したが、本発明は、これに限定されるものではない。電力検出部３８Ａは、例えば、蓄電池２４とインバータ電力変換部２６との間や、送電線２０とインバータ補機２８Ａとの間に備えられる形態としてもよい。
【００６９】
また、上記実施形態で説明した接続遮断処理の流れも一例であり、本発明の主旨を逸脱しない範囲内において不要なステップを削除したり、新たなステップを追加したり、処理順序を入れ替えたりしてもよい。
【符号の説明】
【００７０】
１０    蓄電システム
１４    発電装置
１６    負荷
１８    商用系統
２２    インバータ
２４    蓄電池
３０    蓄電システム制御装置
【図１】
2015035913.tif 000003
【図２】
2015035913.tif 000004
【図３】
2015035913.tif 000005
【図４】
2015035913.tif 000006
【図５】
2015035913.tif 000007
【図６】
2015035913.tif 000008
【図７】
2015035913.tif 000009
【図８】
2015035913.tif 000010
【図９】
2015035913.tif 000011
【図１０】
2015035913.tif 000012